(57)【要約】筆記具２はペン先機構２０とインクタンク４０とインク誘導機構５０とレギュレータ機構６０とを備える。インクタンク４０は第１〜２インクタンク４０Ａ、４０Ｂを有する。ペン先機構２０は第１〜２ペン先２０Ａ、２０Ｂを有する。インク誘導機構５０は第１〜２誘導芯５０Ａ、５０Ｂを有する。第１誘導芯５０Ａ及び第２誘導芯５０Ｂの周囲に設定されたレギュレータ流路は、流路仕切り部材により第１、２レギュレータ流路に仕切られる。第１〜２レギュレータ流路は、各インクの一時溜め空間となるとともに、各誘導芯５０Ａ、５０Ｂから出たエアを各インクタンク４０Ａ、４０Ｂへ送るための流通空間である。
2013183633.tif 000002
【特許請求の範囲】
【請求項１】
インクを収容するインクタンクと、  前記インクタンクから出た前記インクを保持するペン先を有するペン先機構と、  前記インクタンクと前記ペン先機構とをつなぐ前記インクの流通経路に設けられ、前記インクタンクから出たインクを前記ペン先へ供給するインク誘導機構と、  前記インク誘導機構を収容するインク誘導筐体と、  前記インク誘導機構の周囲であって、かつ前記インク誘導筐体の内面に接するように設けられ前記インクの流通経路における前記インクの流量を調節するレギュレータ機構と、を備え、  前記インクタンクは、  第１インクを収容する第１インクタンクと、  前記第１インクと異なる第２インクを収容する第２インクタンクとを有し、  前記ペン先機構は、  前記第１インクが供給される第１ペン先と、  前記第２インクが供給される第２ペン先と、  前記第１ペン先及び前記第２ペン先を並列状態で保持するペン先保持機構と、を有し、  前記インク誘導機構は、  前記インクの流通経路に設けられ前記第１インクタンクから出た前記第１インクを前記第１ペン先へ誘導する第１誘導芯と、  前記インクの流通経路に設けられ前記第２インクタンクから出た前記第２インクを前記第２ペン先へ誘導する第２誘導芯と、を有し、  前記レギュレータ機構は、  前記第１誘導芯及び前記第２誘導芯の周囲にそれぞれ設定された第１、第２レギュレータ流路と、  前記第１レギュレータ流路及び前記第２レギュレータ流路を仕切るように配され、前記第１、第２レギュレータ流路における前記第１、第２インクの混合を防ぐ流路仕切り部材とを有し、  前記第１レギュレータ流路は、前記第１インクの一時溜め空間であるとともにエアが流通可能な空間であり、  前記第２レギュレータ流路は、前記第２インクの一時溜め空間であるとともにエアが流通可能な空間であることを特徴とする筆記具。
【請求項２】
前記インクタンクは、円筒状の大径筒と、前記大径筒よりも径が小さく前記大径筒の内側に配された円筒状の小径筒とからなる二重管構造を有し、  前記第１インクタンクは前記小径筒の内側に形成され、  前記第２インクタンクは前記小径筒及び前記大径筒の間に形成されることを特徴とする請求項１記載の筆記具。
【請求項３】
前記円筒状の小径筒は、前記大径筒の内側に同軸状に配されたことを特徴とする請求項２記載の筆記具。
【請求項４】
前記第２インクタンクの前記インク誘導機構側の端部は、前記第１インクタンクの前記インク誘導機構側の端部よりも前記インク誘導機構側に向かって突出することを特徴とする請求項１ないし３のうちいずれか１項記載の筆記具。
【請求項５】
前記第２インクタンクと前記第２誘導芯とを連通する第２インク連通孔は、前記第１インクタンクと前記第１誘導芯とを連通する第１インク連通孔よりも、前記ペン先機構側に位置することを特徴とする請求項１ないし４のうちいずれか１項記載の筆記具。
【請求項６】
前記インク誘導機構の前記インクタンク機構側の端部は、前記小径筒の内側に挿入されることを特徴とする請求項２ないし５のうちいずれか１項記載の筆記具。
【請求項７】
前記小径筒と前記大径筒とが分離形成されたことを特徴とする請求項２ないし６のうちいずれか１項記載の筆記具。
【請求項８】
前記小径筒と前記大径筒とを連結する筒連結部材を有することを特徴とする請求項２ないし７のうちいずれか１項記載の筆記具。
【請求項９】
前記第１インクタンクのうち前記ペン先機構と反対側の端部は、前記第２インクタンクのうち前記ペン先機構と反対側の端部よりも、前記ペン先機構から遠いことを特徴とする請求項１ないし８のうちいずれか１項記載の筆記具。
【請求項１０】
前記インクタンクは、前記インク誘導機構へ向けて前記インクタンク内のインクをガイドするインクガイド機構を有することを特徴とする請求項１ないし９のうちいずれか１項記載の筆記具。
【請求項１１】
前記インクガイド機構は、前記小径筒の外周面に形成され前記インク誘導機構に向かって延びた小径筒外溝と、前記大径筒の内周面に形成され前記インク誘導機構に向かって延びた大径筒内溝とのうち少なくとも一方であることを特徴とする請求項２ないし１０のうちいずれか１項記載の筆記具。
【請求項１２】
前記第１誘導芯は、前記インク誘導機構のうち前記小径筒に挿入されている部位を介して、前記第１インクタンクと連通することを特徴とする請求項２ないし１１のうちいずれか１項記載の筆記具。
【請求項１３】
前記第２誘導芯の後端面が開放する後端面開放空間を有し、  前記後端面開放空間は前記第２インクタンクと連通することを特徴とする請求項１ないし１２のうちいずれか１項記載の筆記具。
【請求項１４】
前記第２誘導芯は、前記インク誘導機構の側部孔を介して、前記第２インクタンクと連通することを特徴とする請求項１ないし１３のうちいずれか１項記載の筆記具。
【請求項１５】
前記第１レギュレータ流路と前記第１インクタンクとの間では、前記インク誘導機構のうち前記小径筒に挿入された部位に形成された第１通気孔を介してエアが流通可能であることを特徴とする請求項２ないし１４のうちいずれか１項記載の筆記具。
【請求項１６】
前記第２レギュレータ流路と前記第２インクタンクとの間では、前記インク誘導機構を介さずに、前記レギュレータ機構に形成された第２通気孔を介してエアが流通可能であることを特徴とする請求項１ないし１５のうちいずれか１項記載の筆記具。
【請求項１７】
前記第２レギュレータ流路と前記第２インクタンクとの間では、前記インク誘導機構を介さずに、前記インク誘導機構に形成された第２通気孔を介してエアが流通可能であることを特徴とする請求項１ないし１６のうちいずれか１項記載の筆記具。
【請求項１８】
前記インク誘導機構は、並列状態にかつ独立して形成された第１、第２誘導芯収容孔に前記第１誘導芯及び前記第２誘導芯を収容する誘導芯収容部を有し、  前記第１、第２レギュレータ流路は前記誘導芯収容部の外側に形成され、  前記流路仕切り部材は前記誘導芯収容部の外側から前記外側筐体の内側まで延びることで前記第１、第２レギュレータ流路を遮断することを特徴とする請求項１ないし１７のうちいずれか１項記載の筆記具。
【請求項１９】
前記インク誘導機構は、  前記第１誘導芯収容孔に挿入された前記第１誘導芯の側面を前記第１レギュレータ流路に露呈するための第１露呈口と、  前記第２誘導芯収容孔に挿入された前記第２誘導芯の側面を前記第２レギュレータ流路に露呈するための第２露呈口とを有することを特徴とする請求項１８記載の筆記具。
【請求項２０】
前記インク誘導機構は、並列状態にかつ独立して形成された第１、第２誘導芯収容孔に前記第１誘導芯及び前記第２誘導芯を収容する誘導芯収容部を有し、  前記第１誘導芯は、熱融着によって前記誘導芯収容部に係止されたことを特徴とする請求項１ないし１９のうちいずれか１項記載の筆記具。
【請求項２１】
前記第１誘導芯の前記ペン先機構と反対側の端部は、前記誘導芯収容部から前記ペン先機構と反対側へ位置することを特徴とする請求項１８ないし２０のうちいずれか１項記載の筆記具。
【請求項２２】
前記ペン先保持機構は、  前記第１ペン先の基部を保持する第１ペン先保持機構と、  前記第２ペン先の基部を保持する第２ペン先保持機構と、  前記第１ペン先の先端部及び前記第２ペン先の先端部の間に配されたペン先仕切り機構と、を有することを特徴とする請求項１ないし２１のうちいずれか１項記載の筆記具。
【請求項２３】
前記ペン先仕切機構は、  前記第１ペン先及び前記第２ペン先に対して面一又は後退する面一後退部と、  前記第１ペン先及び前記第２ペン先に対して突出する突出部と、を有することを有することを特徴とする請求項２２記載の筆記具。
【請求項２４】
前記面一後退部は、前記ペン先仕切り機構の前方部に形成されたことを特徴とする請求項２３記載の筆記具。
【請求項２５】
前記突出部は、前記ペン先仕切機構の側方部に形成されたことを特徴とする請求項２３または２４記載の筆記具。
【請求項２６】
前記第１ペン先の先端または前記第２ペン先の先端の少なくとも一方は、前記第１ペン先及び前記第２ペン先が接触する程度に撓むことを特徴とする請求項１ないし２５のうちいずれか１項記載の筆記具。
【請求項２７】
第１インクを収容する第１インクタンクと、第２インクを収容する第２インクタンクと、前記第１インクタンクに収容された前記第１インクが供給される第１ペン先と、前記第２インクタンクに収容された前記第２インクが供給される第２ペン先と、を有する筆記具の製造方法において、  前記第２インクが収納空間に収容された収容手段を用い、前記収容空間へ前記第１インクタンクを挿入することにより、前記第１インクタンクと前記収容手段との間に前記第２インクタンクを形成する第２インクタンク形成ステップを有することを特徴とする筆記具の製造方法。
【請求項２８】
前記第２インクタンク形成ステップの前に行われ、前記収容空間に前記第２インクを供給する第２インク供給ステップを有することを特徴とする請求項２７記載の筆記具の製造方法。
【請求項２９】
前記第２インク供給ステップの前に行われ、前記第１タンクへ前記第１インクを供給する第１インク供給ステップを有することを特徴とする請求項２８記載の筆記具の製造方法。
【請求項３０】
前記第２インク供給ステップの前に行われ、前記第１インクが供給された前記第１インクタンクを密閉する第１エアタイトステップを有することを特徴とする請求項２７または２９記載の筆記具の製造方法。
【請求項３１】
前記第２インクが供給された前記第２インクタンクを密閉する第２エアタイトステップを有することを特徴とする請求項２７ないし３０のうちいずれか１項記載の筆記具の製造方法。
【発明の詳細な説明】
【技術分野】
【０００１】  本発明は筆記具に関する。
【背景技術】
【０００２】  万年筆やマーキングペンといったインクタンクを有する筆記具が知られている。例えば、特開２００７−１７６１１０号公報に記載の筆記具は、ペン芯と、インクを収容するインクタンクと、インクタンクからペン芯へインクを誘導するコアと、をそれぞれ１つずつ備える。
【発明の概要】
【発明が解決しようとする課題】
【０００３】  ところで、筆記具によって描かれる文字や線は、単一の色とは限られず、複数の色で書き分けることも多い。しかしながら、特許文献１に記載の筆記具には、インクタンク等が１つしか設けられない。このため、異なる色で書き分ける都度、筆記具の持ち替え、あるいはインクタンクの交換が必要となる。このように、文字や線を異なる色で書き分けようとする場合には、書き手には煩わしい作業が発生してしまう。【０００４】  本発明は、斯かる実情に鑑み、筆記具を提供しようとするものである。
【課題を解決するための手段】
【０００５】  上記課題を解決する筆記具は、インクを収容するインクタンクと、前記インクタンクから出た前記インクを保持するペン先を有するペン先機構と、前記インクタンクと前記ペン先機構とをつなぐ前記インクの流通経路に設けられ、前記インクタンクから出たインクを前記ペン先へ供給するインク誘導機構と、前記インク誘導機構を収容するインク誘導筐体と、前記インク誘導機構の周囲であって、かつ前記インク誘導筐体の内面に接するように設けられ前記インクの流通経路における前記インクの流量を調節するレギュレータ機構と、を備え、前記インクタンクは、第１インクを収容する第１インクタンクと、前記第１インクと異なる第２インクを収容する第２インクタンクとを有し、前記ペン先機構は、前記第１インクが供給される第１ペン先と、前記第２インクが供給される第２ペン先と、前記第１ペン先及び前記第２ペン先を並列状態で保持するペン先保持機構と、を有し、前記インク誘導機構は、前記インクの流通経路に設けられ前記第１インクタンクから出た前記第１インクを前記第１ペン先へ誘導する第１誘導芯と、前記インクの流通経路に設けられ前記第２インクタンクから出た前記第２インクを前記第２ペン先へ誘導する第２誘導芯と、を有し、前記レギュレータ機構は、前記第１誘導芯及び前記第２誘導芯の周囲にそれぞれ設定された第１、第２レギュレータ流路と、前記第１レギュレータ流路及び前記第２レギュレータ流路を仕切るように配され、前記第１、第２レギュレータ流路における前記第１、第２インクの混合を防ぐ流路仕切り部材とを有し、前記第１レギュレータ流路は、前記第１インクの一時溜め空間であるとともにエアが流通可能な空間であり、前記第２レギュレータ流路は、前記第２インクの一時溜め空間であるとともにエアが流通可能な空間であることを特徴とする。【０００６】  前記インクタンクは、円筒状の大径筒と、前記大径筒よりも径が小さく前記大径筒の内側に配された円筒状の小径筒とからなる二重管構造を有し、前記第１インクタンクは前記小径筒の内側に形成され、前記第２インクタンクは前記小径筒及び前記大径筒の間に形成されることが好ましい。また、前記円筒状の小径筒は、前記大径筒の内側に同軸状に配されたことが好ましい。【０００７】  前記第２インクタンクの前記インク誘導機構側の端部は、前記第１インクタンクの前記インク誘導機構側の端部よりも前記インク誘導機構側に向かって突出するが好ましい。また、前記第２インクタンクと前記第２誘導芯とを連通する第２インク連通孔は、前記第１インクタンクと前記第１誘導芯とを連通する第１インク連通孔よりも、前記ペン先機構側に位置することが好ましい。【０００８】  前記インク誘導機構の前記インクタンク機構側の端部は、前記小径筒の内側に挿入されることが好ましい。また、前記小径筒と前記大径筒とが分離形成されたことが好ましい。あるいは、前記小径筒と前記大径筒とを連結する筒連結部材を有していてもよい。【０００９】  前記第１インクタンクのうち前記ペン先機構と反対側の端部は、前記第２インクタンクのうち前記ペン先機構と反対側の端部よりも、前記ペン先機構から遠いことが好ましい。また、前記インクタンクは、前記インク誘導機構へ向けて��記インクタンク内のインクをガイドするインクガイド機構を有することが好ましい。【００１０】  前記インクガイド機構は、前記小径筒の外周面に形成され前記インク誘導機構に向かって延びた小径筒外溝と、前記大径筒の内周面に形成され前記インク誘導機構に向かって延びた大径筒内溝とのうち少なくとも一方であることが好ましい。【００１１】  前記第１誘導芯は、前記インク誘導機構のうち前記小径筒に挿入されている部位を介して、前記第１インクタンクと連通することが好ましい。【００１２】  前記第２誘導芯の後端面が開放する後端面開放空間を有し、前記後端面開放空間は前記第２インクタンクと連通することが好ましい。【００１３】  前記第２誘導芯は、前記インク誘導機構の側部孔を介して、前記第２インクタンクと連通することが好ましい。【００１４】  前記第１レギュレータ流路と前記第１インクタンクとの間では、前記インク誘導機構のうち前記小径筒に挿入された部位に形成された第１通気孔を介してエアが流通可能であることが好ましい。また、前記第２レギュレータ流路と前記第２インクタンクとの間では、前記インク誘導機構を介さずに、前記レギュレータ機構に形成された第２通気孔を介してエアが流通可能であることが好ましい。さらに、前記第２レギュレータ流路と前記第２インクタンクとの間では、前記インク誘導機構を介さずに、前記インク誘導機構に形成された第２通気孔を介してエアが流通可能であることが好ましい。【００１５】  前記インク誘導機構は、並列状態にかつ独立して形成された第１、第２誘導芯収容孔に前記第１誘導芯及び前記第２誘導芯を収容する誘導芯収容部を有し、前記第１、第２レギュレータ流路は前記誘導芯収容部の外側に形成され、前記流路仕切り部材は前記誘導芯収容部の外側から前記外側筐体の内側まで延びることで前記第１、第２レギュレータ流路を遮断することが好ましい。【００１６】  前記インク誘導機構は、前記第１誘導芯収容孔に挿入された前記第１誘導芯の側面を前記第１レギュレータ流路に露呈するための第１露呈口と、前記第２誘導芯収容孔に挿入された前記第２誘導芯の側面を前記第２レギュレータ流路に露呈するための第２露呈口とを有することが好ましい。【００１７】  前記インク誘導機構は、並列状態にかつ独立して形成された第１、第２誘導芯収容孔に前記第１誘導芯及び前記第２誘導芯を収容する誘導芯収容部を有し、前記第１誘導芯は、熱融着によって前記誘導芯収容部に係止されたことが好ましい。【００１８】  前記第１誘導芯の前記ペン先機構と反対側の端部は、前記誘導芯収容部から前記ペン先機構と反対側へ位置することが好ましい。【００１９】  前記ペン先保持機構は、前記第１ペン先の基部を保持する第１ペン先保持機構と、前記第２ペン先の基部を保持する第２ペン先保持機構と、前記第１ペン先の先端部及び前記第２ペン先の先端部の間に配されたペン先仕切り機構と、を有することが好ましい。また、前記ペン先仕切機構は、前記第１ペン先及び前記第２ペン先に対して面一又は後退する面一後退部と、前記第１ペン先及び前記第２ペン先に対して突出する突出部と、を有することを有することが好ましい。さらに、前記面一後退部は、前記ペン先仕切り機構の前方部に形成されたことが好ましい。加えて、前記突出部は、前記ペン先仕切機構の側方部に形成されたことが好ましい。【００２０】  前記第１ペン先または前記第２ペン先の先端の少なくとも一方は、前記第１ペン先及び前記第２ペン先が接触する程度に撓むことが好ましい。【００２１】  また、筆記具の製造方法は、第１インクを収容する第１インクタンクと、第２インクを収容する第２インクタンクと、前記第１インクタンクに収容された前記第１インクが供給される第１ペン先と、前記第２インクタンクに収容された前記第２インクが供給される第２ペン先と、を有する筆記具の製造方法において、前記第２インクが収納空間に収容された収容手段を用い、前記収容空間へ前記第１インクタンクを挿入することにより、前記第１インクタンクと前記収容手段との間に前記第２インクタンクを形成する第２インクタンク形成ステップを有することを特徴とする。【００２２】  前記第２インクタンク形成ステップの前に行われ、前記収容空間に前記第２インクを供給する第２インク供給ステップを有することが好ましい。また、前記第２インク供給ステップの前に行われ、前記第１タンクへ前記第１インクを供給する第１インク供給ステップを有することが好ましい。さらに、前記第２インク供給ステップの前に行われ、前記第１インクが供給された前記第１インクタンクを密閉する第１エアタイトステップを有することが好ましい。加えて、前記第２インクが供給された前記第２インクタンクを密閉する第２エアタイトステップを有することが好ましい。
【発明の効果】
【００２３】  本発明の筆記具によれば、文字や線を異なる色で書き分けることが容易となる。
【図面の簡単な説明】
【００２４】
【図１】第１の筆記具の概要を示す断面図である。
【図２】第１の筆記具の概要を示す分解断面図である。
【図３Ａ】第１のインクタンク機構のうち第１のインク誘導機構及び第１のレギュレータ機構と嵌合する部分を拡大したＩＩＩＡ−ＩＩＩＡ線断面図である。
【図３Ｂ】第１のインクタンク機構のうち第１のインク誘導機構及び第１のレギュレータ機構と嵌合する部分を拡大したＩＩＩＢ−ＩＩＩＢ線断面図である。
【図４】第１のインク誘導機構及び第１のレギュレータ機構の概要を示す側面図である。
【図５】第１のインク誘導機構及び第１のレギュレータ機構の概要を示す断面図である。
【図６】第１のインク誘導機構及び第１のレギュレータ機構の概要を示す分解断面図である。
【図７】第１の誘導芯保持軸の後端部及び第１のレギュレータ機構の概要を示す断面図である。
【図８】第１の誘導芯保持軸のＶＩＩＩ−ＶＩＩＩ線断面図である。
【図９】第１のペン先機構の概要を示す分解断面図である。
【図１０】第１のレギュレータ機構のＸ−Ｘ線断面図である。
【図１１】第１のレギュレータ機構のＸＩ−ＸＩ線断面図である。
【図１２】第１のレギュレータ機構のＸＩＩ−ＸＩＩ線断面図である。
【図１３】第１のレギュレータ機構のＸＩＩＩ−ＸＩＩＩ線断面図である。
【図１４】第２の筆記具の概要を示す断面図である。
【図１５】第２の筆記具の概要を示す分解断面図である。
【図１６】第２の筆記具を構成する小容器、第２のインク誘導機構、第２のレギュレータ機構の概要を示す分解断面図である。
【図１７】第２の誘導芯保持軸の後端部が第２のインクタンク機構と嵌合した状態を示す断面図である。
【図１８】各誘導芯が収容された第２の誘導芯保持軸と第２のインクタンク機構とが嵌合した状態を示す断面図である。
【図１９】第２の筆記具の製造方法の概要を示すフロー図である。
【図２０】第３の筆記具の概要を示す断面図である。
【図２１】第３のインク誘導機構のうち第３のインクタンク機構と嵌合する部分を拡大した断面図である。
【図２２】第３のインク誘導機構の変形例を示す断面図である。
【図２３】可撓性を有するペン先を用いて、第１インクと第２インクとの混合インクを紙面に付着する様子を示す断面図である。
【図２４】ペン先機構の概要を示すＸＸＩＶ−ＸＸＩＶ線断面図である。
【図２５】ペン先機構の概要を示すＸＸＶ−ＸＸＶ線断面図である。
【図２６】ペン先機構の概要を示すＸＸＶＩ−ＸＸＶＩ線断面図である。
【図２７】ペン先機構の概要を示すＸＸＶＩＩ−ＸＸＶＩＩ線断面図である。
【図２８】前端後方形態であって側面突出形態のペン先機構の概要を示す分解斜視図である。
【図２９】前端後方形態であって側面突出形態のペン先機構の概要を示す分解斜視図である。
【発明を実施するための形態】
【００２５】  以下、本発明の実施の形態を、添付図面を参照して説明する。
【００２６】  図１に示すように、筆記具２は、前後方向に長く延びるものであり、円筒状の収容筒１０と、収容筒１０の前端部に取り付けられるペン先機構２０と、収容筒１０の後端部に取り付けられる尾栓３０と、を有する。収容筒１０は、合成樹脂、例えば、ＰＰ（ポリプロピレン）、ＰＥ（ポリエチレン）、ＰＥＴ（ポリエチレンテレフタレート）、ナイロン、ポリエステルやアクリルから形成される。ペン先機構２０は、例えば、ＰＯＭ（アセタール樹脂）、ＰＢＴ（ポリブチレンテレフタレート）、ＰＰ、ＡＢＳ樹脂、ＰＣ（ポリカーボネート）、ナイロン、ポリエステルやアクリルから形成される。尾栓３０は、収容筒１０と同様の材料から形成される。
【００２７】  さらに、筆記具２は、インクを収容するインクタンク機構４０と、インクタンク機構４０に収容されたインクをペン先機構２０へ誘導するインク誘導機構５０と、を有する。
【００２８】  インクタンク機構４０は、収容筒１０の内側の後端側に収容される。インク誘導機構５０は、収容筒１０の内側において、インクタンク機構４０の前方に収容される。インクタンク機構４０の前端はインク誘導機構５０の後端と接続する。さらに、収容筒１０の前端部にペン先機構２０を取り付けることによって、ペン先機構２０はインク誘導機構５０の前端と接続する。こうして、インクタンク機構４０から出たインクは、インク誘導機構５０を介して、ペン先機構２０へ到達する。
【００２９】  加えて、筆記具２は、インク誘導機構５０の周りに形成されるレギュレータ機構６０を有する。レギュレータ機構６０は、インク誘導機構５０の周囲に設けられる。レギュレータ機構６０は、インク誘導機構５０からインクタンク機構４０まで延びるレギュレータ流路を有する。レギュレータ流路は、筆記部の外部にあるエアやインクタンク内のインクが流通可能である。このようなレギュレータ流路を形成することにより、インクタンク内の圧力が筆記具の外部よりも高い状態となった場合であっても、インクタンク内のインクがレギュレータ流路に溜まることにより、筆記具の外部とインクタンク内部との圧力バランスが保たれる結果、ペン先機構２０からインクが出ずに済む。レギュレータ機構６０は、例えば、ＡＢＳ樹脂から形成される。    また、筆記具２は、ペン先機構２０を覆うように収容筒１０の前端側に取り付けられるキャップ７０を備えていてもよい。
【００３０】  次に、各部の詳細について説明する。      図２に示すように、収容筒１０は、大径筒部１１と、大径筒部１１よりも径の小さい小径筒部１２と、大径筒部１１及び小径筒部１２を連結する筒連結部１３と、を有する。大径筒部１１は、インク誘導機構５０やレギュレータ機構６０を収容する誘導機構収容部１１Ａと、小径筒部１２を収容する小径筒収容部１１Ｂと、尾栓３０と嵌合する後方筐体１１Ｃとを有する。小径筒部１２は、小径筒収容部１１Ｂの内側に配される。小径筒部１２は大径筒部１１と同軸状となるように配されることが好ましい。そして、小径筒部１２の後端側の開口（以下、後端開口と称する）１２Ｔ、及び小径筒部１２の前端側の開口（以下、前端開口と称する）１２Ｈは、それぞれ、大径筒部１１の中空部にて開口する。
【００３１】  図１に戻って、インクタンク機構４０は、第１インクを収容する第１インクタンク４０Ａと、第２インクを収容する第２インクタンク４０Ｂとを、有する。第２インクタンク４０Ｂは小径筒部１２の内側に形成され、第１インクタンク４０Ａは小径筒収容部１１Ｂと小径筒部１２との間に形成される。第１インクと第２インクとは互いに異なる色である。なお、第１インクと第２インクとは互いに異なる成分（例えば、一方が油性で、他方が水性）であれば、同じ色であってもよい。
【００３２】  図３Ａに示すように、筒連結部１３は、小径筒部１２の前端の外周面から小径筒収容部１１Ｂの内周面に向かって突出する環状の小径突出部１３Ａと、小径突出部１３Ａの外周部から前方へ延びる環状の前方突出部１３Ｂと、前方突出部１２Ｂの外周面から大径筒部１１の内周面まで延びる環状の連結部１３Ｃと、を有する。このため、筒連結部１３の内周部分は、前端側から後端側に向かって、段階的に縮径する。段階的に縮径する筒連結部１３の内周部分は、インク誘導機構５０（図２参照）の後端部と嵌合可能である。
【００３３】  図２に戻って、尾栓３０は、後方筐体１１Ｃの後端と係合する大径係合筒３１と、小径筒部１２の後端と係合する小径係合筒３２と、大径係合筒３１及び小径係合筒３２を連結する栓本体３３と、を有する。大径係合筒３１及び小径係合筒３２は、それぞれ、栓本体３３の前端面から前方へ突出するように設けられる。大径係合筒３１は、小径係合筒３２を囲むようにして形成される。したがって、大径係合筒３１及び小径係合筒３２は、二重管構造を形成する。小径係合筒３２の前端の外周面には、環状の周溝３２Ｍが形成される。周溝３２Ｍは、小径筒部１２の後端側の内周面に形成された凸条１２Ｎと係止可能である。大径係合筒３１の前端の外周面には、環状の周溝３１Ｍが形成される。周溝３１Ｍは、小径筒収容部１１Ｂの内周面に形成された凸条１１Ｎと係止可能である。収容筒１０の後端に尾栓３０を挿入すると、大径係合筒３１は大径筒部１１の後端側と係合し、小径係合筒３２は小径筒部１２の後端側と係合する。こうして、尾栓３０は、収容筒１０の後端側に嵌着される。収容筒１０の後端側に嵌着された尾栓３０は、第１インクタンク４０Ａの底部、及び第２インクタンク４０Ｂの底部として機能する。こうして、収容筒１０の後端側と、収容筒１０の後端側に嵌着された尾栓３０によって、気密構造が形成される。そして、この気密構造により、第１インクタンク４０Ａ、第２インクタンク４０Ｂの後端部分の気密性が確保される。
【００３４】  インク誘導機構５０は、第１インクを誘導するための第１誘導芯５０Ａと、第２インクを誘導するための第２誘導芯５０Ｂと、第１誘導芯５０Ａ及び第２誘導芯５０Ｂを保持する誘導芯保持軸５１と、を有する。第１誘導芯５０Ａ及び第２誘導芯５０Ｂは、それぞれ後方から前方に向かって延びるように形成される。第１誘導芯５０Ａは、前後方向に、すなわち自身の長手方向に第１インクを誘導可能な構造を有し、第２誘導芯５０Ｂは、前後方向に、すなわち自身の長手方向に第２インクを誘導可能な構造を有する。第１誘導芯５０Ａや第２誘導芯５０Ｂは、例えば、繊維集束体（ＰＥＴ、アクリル、ナイロン等）や、焼結体からなる。なお、第１誘導芯５０Ａは、円柱状、楕円柱状、多角柱状など柱状のものであれば特に限定されない。同様に、第２誘導芯５０Ｂも、円柱状、楕円柱状、多角柱状など柱状体であれば特に限定されない。また、第１誘導芯５０Ａと第２誘導芯５０Ｂとは異なった形状であってもよい。そして、誘導芯保持軸５１は、円柱状、楕円柱状、多角柱状など柱状体であれば特に限定されない。
【００３５】  誘導芯保持軸５１は、後方端５１Ｙを有する。後方端５１Ｙの外周面は、筒連結部１３の内周部分と嵌合可能な形状となっている。誘導芯保持軸５１の後方端５１Ｙと、筒連結部１３とによって、気密構造が形成される（図３Ａ参照）。図４〜６に示すように、さらに、誘導芯保持軸５１は、後端軸面５１Ｔから前端軸面５１Ｈまで貫通する第１貫通孔５１Ａと、後端軸面５１Ｔから前端軸面５１Ｈまで貫通する第２貫通孔５１Ｂとを有する。第１貫通孔５１Ａと第２貫通孔５１Ｂとはほぼ並行となるように設けられる。第１貫通孔５１Ａの形状は、特に限定されず、第１誘導芯５０Ａが挿入可能なものであれば特に限定されない。同様に、第２貫通孔５１Ｂの形状は、特に限定されず、第２誘導芯５０Ｂが挿入可能なものであれば特に限定されない。
【００３６】  誘導芯保持軸５１は、第１誘導芯５０Ａの後端面と係合する係止突起５５Ａを後端軸面５１Ｔに有することが好ましい。係止突起５５Ａは、後端軸面５１Ｔから後方へ突出する後方突出部５５ＡＴと、後方突出部５５ＡＴに設けられた後端面係止部５５ＡＫとを有する。後端面係止部５５ＡＫは、後方突出部５５ＴＴから第１貫通孔５１Ａの開口面と重なる位置まで延びる。第１貫通孔５１Ａには第１誘導芯５０Ａが前方から挿入される。第１貫通孔５１Ａに挿入された第１誘導芯５０Ａの後端面は、後端面係止部５５ＡＫと係止するため、第１貫通孔５１Ａにおける第１誘導芯５０Ａの位置が決まる。位置決めされた第１誘導芯５０Ａの前端は、誘導芯保持軸５１の前端軸面５１Ｈよりも前方へ突出することが好ましい。
【００３７】  図７〜８に示すように、誘導芯保持軸５１は、自身の長手方向の中途部分に形成される切欠部５１Ｌを有する。切欠部５１Ｌの形成により第２貫通孔５１Ｂの中途部分が誘導芯保持軸５１の外部へ露呈する結果、第２貫通孔５１Ｂは、前方に位置する前方孔５１ＢＨと、後方に位置する後方孔５１ＢＴとに分断される。さらに、誘導芯保持軸５１は、後方孔５１ＢＴの内壁面から突出する係止突起５５Ｂを有する。図３Ａ，６に示すように、第２貫通孔５１Ｂには第２誘導芯５０Ｂが前方から挿入される。第２貫通孔５１Ｂに挿入された第２誘導芯５０Ｂの後端は、係止突起５５Ｂと係止するため、第２貫通孔５１Ｂにおける第２誘導芯５０Ｂの位置が決まる。さらに、切欠部５１Ｌの形成により、位置決めされた第２誘導芯５０Ｂの後端部、特に第２誘導芯５０Ｂの後端面５０ＢＸは、誘導芯保持軸５１の外部に開放される。また、位置決めされた第２誘導芯５０Ｂの前端は、誘導芯保持軸５１の前端軸面５１Ｈよりも前方へ突出することが好ましい。
【００３８】  さらに、インク誘導機構５０は、閉塞栓５７Ｂを有する。閉塞栓５７Ｂは、後方孔５１ＢＴに配される。閉塞栓５７Ｂを後方孔５１ＢＴへ後方から挿入すると、閉塞栓５７Ｂの前端は係止突起５５Ｂに係止する。この係止突起５５Ｂにより、第２貫通孔５１Ｂにおける閉塞栓５７Ｂの位置が決まる。
【００３９】  位置決めされた第１誘導芯５０Ａの後端側は、後端軸面５１Ｔから後方へ突出する。このため、誘導芯保持軸５１の後端側を小径筒部１２（図２参照）の前端開口１２Ｈへ挿入することにより、第１誘導芯５０Ａの後方端は、第１インクタンク４０Ａ内で開放する（図３Ａ参照）。また、閉塞栓５７Ｂは、第２貫通孔５１Ｂの後端側の開口を塞ぐため、誘導芯保持軸５１の後端側を小径筒部１２（図２参照）の前端開口１２Ｈへ挿入しても、第２誘導芯５０Ｂと第１インクタンク４０Ａの第１インクとは遮断される（図３Ａ参照）。なお、第２貫通孔５１Ｂの後端開口は、誘導芯保持軸５１にて開口せずに閉塞していてもよい。第２貫通孔５１Ｂの後端開口が閉塞している場合には、閉塞栓５７Ｂを省略することができる。
【００４０】  図５〜６に示すように、レギュレータ機構６０は、誘導芯保持軸５１の後端部の外周面から突出するフランジ構造６２を有する。
【００４１】  フランジ構造６２は、後端側から前端側に向かって順次連設される、小径フランジ６２Ｓと大径フランジ６２Ｌと、を有する。小径フランジ６２Ｓと大径フランジ６２Ｌとにより、フランジ構造６２は筒連結部１３と係合可能な形状となっている。そして、誘導芯保持軸５１の後端側を小径筒部１２の前端側へ挿入することにより、フランジ構造６２が筒連結部１３に係止される（図３Ａ参照）ため、収容筒１０において、インク誘導機構５０及びレギュレータ機構６０の位置が決まる。そして、フランジ構造６２と、フランジ構造６２に係合した筒連結部１３とによって、気密構造が形成される。
【００４２】  こうして、尾栓３０、インク誘導機構５０及びレギュレータ機構６０によって、小径筒部１２の内側には、第１インクが収容される空間（第１インクタンク）４０Ａが形成される（図１参照）。また、筒連結部１３及び尾栓３０の大径係合筒３１によって、小径筒収容部１１Ｂと小径筒部１２との間の空間は、第２インクを収容する閉空間（第２インクタンク）４０Ｂが形成される（図１参照）。
【００４３】  図３Ｂ、４に示すように、筒連結部１３は、第２インクタンク連通孔１３ＢＹを有する。第２インクタンク連通孔１３ＢＹは、第２インクタンク４０Ｂと切欠部５１Ｌとを連通するように、前方突出部１３Ｂに形成される。第２インクタンク連通孔１３ＢＹの形成により、第２インクタンク４０Ｂと第２誘導芯５０Ｂとが、切欠部５１Ｌを介して、連通する。こうして、第２インクタンク４０Ｂに収容された第２インクは、第２インクタンク連通孔１３ＢＹと切欠部５１ＢＬとを介して、第２誘導芯５０Ｂの後端面５０ＢＸへ到達することができる。
【００４４】  図９に示すように、ペン先機構２０は、第１インクを保持するための第１ペン先２０Ａと、第２インクを保持するための第２ペン先２０Ｂと、第１ペン先２０Ａ及び第２ペン先２０Ｂを保持するペン先保持筒２３と、ペン先保持筒２３を大径筒部１１へ連結する軸係止筒２４と、を有する。なお、ペン先保持筒２３によって保持された第１ペン先２０Ａ及び第２ペン先２０Ｂは、互いに並行となるような姿勢であることが好ましい。例えば、第１ペン先２０Ａは半円柱状に形成され、第２ペン先２０Ｂは半円柱状に形成される。そして、第１ペン先２０Ａと第２ペン先２０Ｂとは、１つの円柱体を形成するように配されることが好ましい。第１〜２ペン先２０Ａ〜２０Ｂは、例えば、繊維集束体（ＰＥＴ、アクリル、ナイロン等）、焼結体やフェルトからなる。
【００４５】  ペン先保持筒２３は、保持筒本体２３Ｘと、保持筒本体２３Ｘの中空部に設けられたペン先仕切板２３Ｙとを有する。保持筒本体２３Ｘは、誘導芯保持軸５１（図２参照）の前端部を収容する軸収容筒部２３ＸＡと、第１ペン先２０Ａの基部２０ＡＢ及び第２ペン先２０Ｂの基部２０ＢＢを収容するペン先収容筒部２３ＸＢと、を有する。ペン先収容筒部２３ＸＢと軸収容筒部２３ＸＡとは、この順に前方から後方に並ぶともに、互いに連接される。軸収容筒部２３ＸＡの内周面は、誘導芯保持軸５１（図２参照）の前端部の外周面と嵌合可能な形状となっている。そして、軸収容筒部２３ＸＡの内周面と、誘導芯保持軸５１（図２参照）の前端部の外周面とにより気密構造が形成される。    ペン先仕切板２３Ｙはペン先収容筒部２３ＸＢの軸を含むような姿勢で、ペン先収容筒部２３ＸＢの内側に配される。こうして、ペン先収容筒部２３ＸＢの内側は、ペン先仕切板２３Ｙにより、第１ペン先保持孔２３Ａと第２ペン先保持孔２３Ｂとに仕切られる。第１ペン先２０Ａの基部２０ＡＢは第１ペン先保持孔２３Ａに嵌入され、第１ペン先２０Ａの先端部２０ＡＳはペン先収容筒部２３ＸＢの前端開口から突出する。同様に、第２ペン先２０Ｂの基部２０ＢＢは第２ペン先保持孔２３Ｂに嵌入され、第２ペン先２０Ｂの先端部２０ＢＳはペン先収容筒部２３ＸＢの前端開口から突出する。ペン先保持筒２３の前端開口からの突出量は、第１ペン先２０Ａと第２ペン先とともに等しい。なお、ペン先保持筒２３の前端側の開口からの突出量は、第１ペン先２０Ａと第２ペン先とで異なっていてもよい。
【００４６】  ペン先仕切板２３Ｙの後端は、軸収容筒部２３ＸＡの内側に位置するとともに、誘導芯保持軸５１の前端軸面５１Ｈに形成された係止溝５１Ｍ（図５参照）と係止可能である。こうして、ペン先保持筒２３は、ペン先仕切板２３Ｙ及び係止溝５１Ｍの係止により、周方向において係止される。また、ペン先仕切板２３Ｙの前端面２３ＹＴは、第１ペン先２０Ａの先端面２０ＡＴ及び第２ペン先２０Ｂの先端面２０ＢＴよりも後方に位置する（図９参照）。なお、ペン先仕切板２３Ｙの先端は、ペン先保持筒２３、すなわち保持筒本体２３Ｘの前端側の開口から突出することが好ましい。
【００４７】  軸係止筒２４の外周面は、大径筒部１１の前端側の内周面（図２参照）と係止可能な形状となっているため、軸係止筒２４は、収容筒１０（図１参照）に係止可能である。また、軸係止筒２４には、軸係止筒２４の外部と内部とを連通する通気孔２４Ｘが形成される。
【００４８】  図２に示すように、ペン先機構２０を収容筒１０の前端側へ挿入すると、軸係止筒２４の外周面と大径筒部１１の内周面とが係合するとともに、ペン先仕切板２３Ｙと係止溝５１Ｍとが係合する。この結果、ペン先機構２０は、収容筒１０に装着されたレギュレータ機構６０及び大径筒部１１によって係止される。ペン先機構２０を収容筒１０の前端側へ挿入した状態では、第１ペン先２０Ａは第１誘導芯５０Ａに圧接され、第２ペン先２０Ｂは第２誘導芯５０Ｂに圧接する。これにより、第１ペン先２０Ａと第１誘導芯５０Ａとの間で第１インクが流通可能になるとともに、第２ペン先２０Ｂと第２誘導芯５０Ｂとの間で第２インクが流通可能になる。
【００４９】  図４、１０に示すように、レギュレータ機構６０は、さらに、フランジ構造６２よりも前方の誘導芯保持軸５１に配される閉塞ユニット６３と、フランジ構造６２及び閉塞ユニット６３の間に形成されるレギュレータ流路６７と、レギュレータ流路６７に配されるレギュレータ鍔６８と、レギュレータ流路６７を仕切るレギュレータ仕切板６９と、を有する。
【００５０】  閉塞ユニット６３は、前方閉塞鍔６３Ｈと、後方閉塞鍔６３Ｔとが、前方から後方に向かってこの順に並ぶ。前方閉塞鍔６３Ｈ及び後方閉塞鍔６３Ｔは、誘導芯保持軸５１の外周面から大径筒部１１の内周面に向かって延びる。そして、前方閉塞鍔６３Ｈと後方閉塞鍔６３Ｔとのそれぞれ先端は、大径筒部１１の前端側に挿入された軸係止筒２４の内周面へ到達する。前方閉塞鍔６３Ｈ及び後方閉塞鍔６３Ｔには、それぞれ切欠部６３ＨＬ、６３ＴＬが形成される。そして、前方閉塞鍔６３Ｈ及び後方閉塞鍔６３Ｔは、前方閉塞鍔６３Ｈの切欠部６３ＨＬと、後方閉塞鍔６３Ｔの切欠部６３ＴＬとが重ならないように並ぶ。このため、切欠部６３ＨＬから切欠部６３ＴＬまでは、液体が通過しにくく、気体のみが通過する。前方閉塞鍔６３Ｈ及び後方閉塞鍔６３Ｔの形成により、レギュレータ流路６７は、通気孔２４Ｘを介して筆記具２の外部と連通する。
【００５１】  レギュレータ流路６７は、誘導芯保持軸５１の径方向においては、誘導芯保持軸５１の外周面から大径筒部１１の内周面までの間に形成される環状空間であり、前後方向においてはフランジ構造６２から閉塞ユニット６３まで延びる。
【００５２】  図５，１１に示すように、レギュレータ機構６０は、さらに、第１レギュレータ連通孔６１ＸＡと、第２レギュレータ連通孔６１ＸＢとを有していてもよい。第１レギュレータ連通孔６１ＸＡは、誘導芯保持軸５１に形成され、第１貫通孔５１Ａとレギュレータ流路６７とを連通する。また、第２レギュレータ連通孔６１ＸＢは、誘導芯保持軸５１に形成され、第２貫通孔５１Ｂとレギュレータ流路６７とを連通する。第１貫通孔５１Ａに挿入された第１誘導芯５０Ａの外周面は、第１レギュレータ連通孔６１ＸＡから露呈し、第２貫通孔５１Ｂに挿入された第２誘導芯５０Ｂの外周面は、第２レギュレータ連通孔６１ＸＢから露呈する。
【００５３】  レギュレータ仕切板６９は、前後方向に向かって延び、レギュレータ流路６７を２つの流路（第１レギュレータ流路６７Ａ及び第２レギュレータ流路６７Ｂ）に仕切る。第１レギュレータ流路６７Ａは、第１レギュレータ連通孔６１ＸＡと連通する一方、レギュレータ仕切板６９により第２レギュレータ連通孔６１ＸＢから遮断される。同様に、第２レギュレータ流路６７は、第２レギュレータ連通孔６１ＸＢと連通する一方、レギュレータ仕切板６９により第１レギュレータ連通孔６１ＸＡから遮断される。図示するように、レギュレータ仕切板６９は、収容筒１０の中心を通るように設けられる。このようなレギュレータ仕切板６９により、レギュレータ機構６０は、半割構造を有する。
【００５４】  レギュレータ鍔６８は、第１レギュレータ流路６７Ａに形成される第１レギュレータ鍔６８Ａと、第２レギュレータ流路６７Ｂに形成される第２レギュレータ鍔６８Ｂと、を有する。半円状または扇状の第１レギュレータ鍔６８Ａは、誘導芯保持軸５１の外周面から突出するように延び、その先端は、大径筒部１１、すなわち誘導機構収容部１１Ａの内周面に近接する。第１レギュレータ鍔６８Ａは、径方向に延びる第１スリット６８ＡＹを有する。第１スリット６８ＡＹは、第１レギュレータ鍔６８Ａの外周端から誘導芯保持軸５１の外周面まで延びる。第１レギュレータ連通孔６１ＸＡと第１スリット６８ＡＹとは、主として、第１インクの流通路となる。また、第１レギュレータ鍔６８Ａと大径筒部１１との隙間は、主としてエアの流通路となる。
【００５５】  第１レギュレータ鍔６８Ａと同様に、半円状または扇状の第２レギュレータ鍔６８Ｂは、誘導芯保持軸５１の外周面から突出するように延び、その先端は、大径筒部１１、すなわち誘導機構収容部１１Ａの内周面に近接する。第２レギュレータ鍔６８Ｂは、径方向に延びる第２スリット６８ＢＹを有する。第２スリット６８ＢＹは、第２レギュレータ鍔６８Ｂの外周端から誘導芯保持軸５１の外周面まで延びる。第２レギュレータ連通孔６１ＸＢと第２スリット６８ＢＹとは、主として、第２インクの流通路となる。また、第２レギュレータ鍔６８Ｂと大径筒部１１との隙間は、主としてエアの流通路となる。第２レギュレータ鍔６８Ｂのその他の部分についても、第１レギュレータ鍔６８Ａと同様のため、その詳細の説明は省略する。
【００５６】  なお、第１スリット６８ＡＹは、第１レギュレータ連通孔６１ＸＡと一直線上となるように形成されることが好ましい。同様に、第２スリット６８ＢＹは、第２レギュレータ連通孔６１ＸＢと一直線上となるように形成されることが好ましい。
【００５７】  第１レギュレータ鍔６８Ａの外周部両端には、前後方向に延びる第１係合切欠部６８ＡＭが形成される。また、第２レギュレータ鍔６８Ｂの外周部両端には、前後方向に延びる第２係合切欠部６８ＢＭが形成される。また、大径筒部１１の内周面には、前後方向に延びる位置決めリブが設けられる（図示省略）。誘導芯保持軸５１を大径筒部１１へ挿入すると、位置決めリブが第１係合切欠部６８ＡＭや第２係合切欠部６８ＢＭと係合する。こうして、第１係合切欠部６８ＡＭ、第２係合切欠部６８ＢＭ、及び位置決めリブによって、大径筒部１１へ挿入された誘導芯保持軸５１は、周方向において係止される。
【００５８】  図４に示すように、第１レギュレータ鍔６８Ａは前方から後方にかけて所定の間隔で並ぶ。前後方向にて隣り合う第１レギュレータ鍔６８Ａの間隔は、前方から後方に向かうにしたがって広くなる。そして、隣り合う第１レギュレータ鍔６８Ａにおいて、一方の第１レギュレータ鍔６８Ａに形成された第１スリット６８ＡＹと、他方の第１レギュレータ鍔６８Ａに形成された第１スリット６８ＡＹとは、同位相となるように形成される、すなわち前後方向からみたときに重なることが好ましい。第２レギュレータ鍔６８Ｂについても、第１レギュレータ鍔６８Ａと同様であるため、その詳細の説明は省略する。
【００５９】  このようにして、第１レギュレータ流路６７Ａは、所定の形状を有し、所定の配置となるように設けられた複数の第１レギュレータ鍔６８Ａによって形成される。そして、第１レギュレータ流路６７Ａは、第１インクの一時溜め空間及び第１ペン先２０Ａから流入したエアの流通空間として機能する。同様にして、第２レギュレータ流路６７Ｂは、所定の形状を有し、所定の配置となるように設けられた複数の第２レギュレータ鍔６８Ｂによって形成される。そして、第２レギュレータ流路６７Ｂは、第２インクの一時溜め空間及び第２ペン先２０Ｂから流入したエアの流通空間として機能する。ここで、インクの一時貯め空間とは、インクタンク内のインクを一時的に溜めることができる空間である。このようなインクの一時貯め空間を設けることにより、インクタンクの内部において圧力変動が起こった場合であっても、筆記具の外部とインクタンクの内部との圧力バランスを保つことができる。
【００６０】  図３Ａ，３Ｂに示すように、筒連結部１３には、筒連結スリット１３Ｘが形成される。筒連結スリット１３Ｘは、第２インクタンク４０Ｂと第２レギュレータ流路６７Ｂとを連通するようにして、連結部１３Ｃに形成される。なお、第２インクタンク連通孔１３ＢＹと、筒連結スリット１３Ｘとは一体となって形成されてもよい。また、図３Ｂ、１２に示すように、フランジ構造６２のうち第２レギュレータ流路６７Ｂを形成する部分には、フランジスリット６２Ｘが形成される。フランジスリット６２Ｘと筒連結スリット１３Ｘとによって、第２レギュレータ流路６７Ｂと第２インクタンク４０Ｂとが連通する。
【００６１】  さらに、図３Ａ、１２、１３に示すように、第１貫通孔５１Ａを形成する内壁面５１ＡＳには、第１インクタンク連通孔６１ＡＭが形成される。第１インクタンク連通孔６１ＡＭは前後方向に延びる。第１インクタンク連通孔６１ＡＭの前端は第１レギュレータ流路６７Ａに開口する。一方、第１インクタンク連通孔６１ＡＭの後端は、誘導芯保持軸５１の後端軸面５１Ｔにて開口する。第１インクタンク連通孔６１ＡＭにより、第１レギュレータ流路６７Ａは、第１インクタンク４０Ａと連通する。なお、第１インクタンク連通孔６１ＡＭは、第１貫通孔５１Ａの内壁面５１ＡＳのうち第２貫通孔５１Ｂから遠ざかった部分に設けることが好ましい。
【００６２】  なお、誘導芯保持軸５１に、スリット６１ＡＺ、６１ＢＺを設けてもよい。スリット６１ＡＺは、第１インクの一時溜め空間として機能し、スリット６１ＢＺは、第２インクの一時溜め空間として機能する。スリット６１ＡＺ、６１ＢＺは、それぞれ、フランジ構造６２と閉塞ユニット６３との間にて、前後方向に延びるように形成される。スリット６１ＡＺは第１レギュレータ流路６７Ａに連通し、スリット６１ＢＺは第２レギュレータ流路６７Ｂに連通する。スリット６１ＡＺは、第１スリット６８ＡＹに対し一直線状となるように形成される。同様に、スリット６１ＢＺは、第２スリット６８ＢＹに対し一直線状となるように形成される。スリット６１ＡＺは、誘導芯保持軸５１の外周面から第１貫通孔５１Ａに向かって延びるものの、第１貫通孔５１Ａ側の端部は、第１貫通孔５１Ａの内壁面の手前に位置する。すなわち、スリット６１ＡＺは、第１レギュレータ流路６７Ａと第１貫通孔５１Ａとを連通しない。同様に、スリット６１ＢＺは、誘導芯保持軸５１の外周面から第２貫通孔５１Ｂに向かって延びるものの、第２貫通孔５１Ｂ側の端部は、第２貫通孔５１Ｂの内壁面の手前に位置する。すなわち、スリット６１ＢＺは、第２レギュレータ流路６８Ｂと第２貫通孔５１Ｂとを連通しない。
【００６３】  なお、第１レギュレータ鍔６８Ａの間に形成される溝の深さは、前方から後方に向かうにしたがって漸減させることが好ましい（図３Ａ参照）。このように、溝の深さが漸減する部位としてはインクを溜めておきたい部分に設定することが好ましく、例えば、第１レギュレータ流路６７Ａのうち第１インクタンク連通孔６１ＡＭの開口端近傍、あるいは、第２レギュレータ流路６７Ｂのうちフランジスリット６２Ｘの開口端近傍などがある。
【００６４】  次に、筆記具２の製造方法について説明する。
【００６５】  まず、図２に示すように、収容筒１０、ペン先機構２０、尾栓３０と、インク誘導機構５０と、レギュレータ機構６０とを用意する。このとき、誘導芯保持軸５１において、第１〜２誘導芯５０Ａ、５０Ｂ、閉塞栓５７Ｂは、第１〜２貫通孔５１Ａ，５２の所定の部位に位置決めされている。また、レギュレータ機構６０は、インク誘導機構５０の誘導芯保持軸５１に形成されている。
【００６６】  ここで、収容筒１０の後端部に尾栓３０を嵌着する尾栓取り付けステップを行う。尾栓取り付けステップは、収容筒１０の後端側と尾栓３０とによって気密構造が形成されるまで行われる。尾栓取り付けステップにより、収容筒１０には、第１インクタンク４０Ａと第２インクタンク４０Ｂとが形成される。
【００６７】  次に、第１インクタンク４０Ａへ第１インクを充てんする第１インク充填ステップと、第２インクタンク４０Ｂへ第２インクを充てんする第２インク充填ステップと、を行う。第１インク充填ステップと第２インク充填ステップとのいずれを先に行ってもよい。
【００６８】  その後、誘導芯保持軸５１の後方端５１Ｙを小径筒部１２の前端開口へ挿入する挿入ステップを行う。挿入ステップは、誘導芯保持軸５１の後方端５１Ｙと、筒連結部１３とによって、気密構造が形成されるまで、行われる。
【００６９】  そして、ペン先機構２０を大径筒部１１の前方開口へ挿入するペン先機構取り付けステップを行う。ペン先機構取り付けステップにより、ペン先機構２０は、収容筒１０に装着されたレギュレータ機構６０及び大径筒部１１によって係止される。
【００７０】  次に、筆記具２の使用方法について説明する。
【００７１】  図１に示すように、筆記具２は、第１インクを収容する第１インクタンク４０Ａと、第２インクを収容する第２インクタンク４０Ｂと、第１ペン先２０Ａと、第２ペン先２０Ｂと、第１インクタンク４０Ａから第１ペン先２０Ａまでをつなぐ第１誘導芯５０Ａと、第２インクタンク４０Ｂから第２ペン先２０Ｂまでをつなぐ第２誘導芯５０Ｂと、を備える。このため、第１ペン先２０Ａのみを紙に押し付けることにより、第１ペン先２０Ａに保持された第１インクのみを紙に付着させることができる。一方、第２ペン先２０Ｂのみを紙に押し付けることにより、第２ペン先２０Ｂに保持された第２インクのみを紙に付着させることができる。このようにして、第１インク、第２インク、すなわち異なる色の書き分けが容易となる。なお、第１ペン先２０Ａとともに第２ペン先２０Ｂを同時に紙に押し付けることにより、第１ペン先２０Ａに保持された第１インクとともに第２ペン先２０Ｂに保持された第２インクとともに紙に付着させることができる。
【００７２】  また、インクタンク４０は、小径筒部１２と小径筒収容部１１Ｂとから形成された二重管構造を有するため、収容筒１０に異なる色のインクタンク、すなわち第１インクタンク４０Ａと第２インクタンク４０Ｂとを形成することができる。ここで、径方向に延びる仕切り部材を用いて収容筒１０を２つの空間に仕切った上で、それぞれの空間に異なる色のインクが収容されるインクタンクを複数形成してもよい。しかしながら、径方向に延びる仕切り部を有する収容筒１０の構造（半割構造）では、径方向に延びる仕切り部材の存在により、断面形状が正円の収容筒１０を形成することが非常に困難である。筆記具２では、収容筒１０が二重管構造を有するため、異なる色のインクが収容されるインクタンクを複数形成しつつ、断面形状が正円の収容筒１０を形成することができる。
【００７３】  図３Ａ〜３Ｂに示すように、第２インクタンク４０Ｂの前端部は、第１インクタンク４０Ａの前端部よりも前方へ突出する。このため、二重管構造のインクタンク機構４０とレギュレータ機構６０との接続が容易となる。同様に、第２インクタンク４０Ｂと第２誘導芯５０Ｂとを連通する第２インクタンク連通孔１３ＢＹは、第１インクタンク４０Ａと第１誘導芯５０Ａとを連通する第１インクタンク連通孔６１ＡＭよりも先端側、すなわちペン先機構２０側に位置するため、二重管構造のインクタンク機構４０とレギュレータ機構６０との接続が容易となる。さらにまた、誘導芯保持軸５１の後端側が小径筒部１２の前端側へ挿入されるため、二重管構造のインクタンク機構４０とレギュレータ機構６０との接続が容易となる。
【００７４】  そして、第１誘導芯５０Ａの後端は第１インクタンク４０Ａ内にて解放されるため、第１インクタンク４０Ａに収容された第１インクは第１誘導芯５０Ａへ到達する（矢線９７ＲＡ）。また、閉塞栓５７Ｂは、第２貫通孔５１Ｂの後端側を塞ぐため、第１インクタンク４０Ａに収容される第１インクの第２貫通孔５１Ｂへの到達を防ぐ。
【００７５】  さらに、切欠部５１ＢＬが誘導芯保持軸５１に形成されるとともに、第２インクタンク連通孔１３ＢＹが筒連結部１３に形成されるため、第２インクタンク４０Ｂに収容された第２インクが第２誘導芯５０Ｂの後端面５０ＢＸへ到達することができる（矢線９７ＲＢ）。
【００７６】  図１１に示すように、レギュレータ仕切板６９は、レギュレータ流路６７を第１レギュレータ流路６７Ａと第２レギュレータ流路６７Ｂとに仕切るため、レギュレータ流路６７において、第１インクと第２インクとが混ざらずに済む。
【００７７】  図３Ａ〜３Ｂに示すように、フランジ構造６２のうち第２レギュレータ流路６７Ｂを形成する部分にフランジスリット６２Ｘが形成されるとともに、筒連結スリット１３Ｘが筒連結部１３に形成されるため、第２レギュレータ流路６７Ｂと第２インクタンク４０Ｂとが連通する。この結果、ペン先機構２０の通気孔２４Ｘ（図９参照）から流入したエアは、第２レギュレータ流路６７Ｂ、フランジスリット６２Ｘ、筒連結スリット１３Ｘを順に通過して、第２インクタンク４０Ｂへ到達することができる（矢線９８ＲＢ）。また、第１レギュレータ流路６７Ａと第１インクタンク４０Ａとを連通する第１インクタンク連通孔６１ＡＭが、第１誘導芯貫通孔５１Ａの内壁面５１ＡＳ（図１２参照）に形成されたため、ペン先機構２０の通気孔２４Ｘ（図９参照）から流入したエアは、第１レギュレータ流路６７Ａ、第１インクタンク連通孔６１ＡＭを順に通過して、第１インクタンク４０Ａへ到達することができる（矢線９８ＲＡ）。したがって、二重管構造のインクタンク機構４０に接続された状態であっても、半割構造のレギュレータ機構６０の第１インクに対するレギュレーション機能、及び第２インクに対するレギュレーション機能を、発揮することができる。
【００７８】  また、図９に示すように、第１ペン先２０Ａと第２ペン先２０Ｂとの間にペン先仕切板２３Ｙを配したため、第１ペン先２０Ａ及び第２ペン先２０Ｂのうち一方を用いて文字などを書くときに、他方のインクと混ざらずに済む。
【００７９】  上記実施形態では、収容筒１０の中心を通るようにレギュレータ仕切板６９を設けたが、本発明はこれに限られず、第１レギュレータ流路６７Ａと第２レギュレータ流路６７Ｂとのうち一方に収容筒１０の中心が含まれるように、レギュレータ仕切板６９を設けてもよい。
【００８０】  上記実施形態では、レギュレータ流路６７を第１レギュレータ流路６７Ａと第２レギュレータ流路６７Ｂとに仕切ることが可能な流路仕切り部材として、レギュレータ仕切板６９を用いたが、本発明はこれに限られない。すなわち、流路仕切り部材は、板状以外の形状（例えば、ブロック状）であってもよい。
【００８１】  次に、上記実施形態とは別の実施形態を説明するが、以下では、上記実施形態と同一の構造の部材には同一の符号を付しその詳細の説明は省略する。
【００８２】  図１４に示すように、筆記具１０２は、ペン先機構２０と、インクタンク機構１４０と、インク誘導機構１５０と、インクタンク機構１４０に収容されたインクをペン先機構２０へ誘導するインク誘導機構１５０と、インク誘導機構１５０の周りに形成されるレギュレータ機構１６０と、を備える。なお、各機構１４０、１５０、１６０の形成材料は、前述の各機構４０，５０、６０と同様である。
【００８３】  図１４〜１５に示すように、インクタンク機構１４０は小容器１４１と大容器１４２とを有する。小容器１４１と大容器１４２とは分離形成されている。小容器１４１は、第１インクを収容する第１インク収容空間１４１Ｋを有する。小容器１４１の第１インク収容空間１４１Ｋは、第１インクが収容される第１インクタンク１４０Ａとして機能する。
【００８４】  大容器１４２は、収容空間１４２ＫＡを形成する前方部１４２Ｈと、収容空間１４２ＫＢを形成する後方部１４２Ｔとを有する。収容空間１４２ＫＡには、インク誘導機構１５０及びレギュレータ機構１６０が収容され、収容空間１４２ＫＢには小容器１４１が収容される。そして、大容器１４２では、収容空間１４２ＫＡと収容空間１４２ＫＢとが一体となって収容空間１４２Ｋを形成する。大容器１４２の収容空間１４２ＫＢに小容器１４１を収容することにより、大容器１４２及び小容器１４１との間には、第２インクが収容される第２インクタンク１４０Ｂが形成される。そして、大容器１４２の収容空間１４２ＫＡにインク誘導機構１５０を収容することにより、大容器１４２及びインク誘導機構１５０との間がレギュレータ流路の形成空間となる。
【００８５】  図１５〜１６に示すように、インク誘導機構１５０は、第１インクをペン先機構２０へ誘導する第１誘導芯５０Ａと、第２インクをペン先機構２０へ誘導する第２誘導芯１５０Ｂと、第１誘導芯５０Ａ及び第２誘導芯１５０Ｂを保持する誘導芯保持軸１５１とを有する。誘導芯保持軸１５１には、第１誘導芯５０Ａを収容する第１貫通孔１５１Ａと、第２誘導芯１５０Ｂを収容する第２貫通孔１５１Ｂと、が形成される。
【００８６】  図１７に示すように、誘導芯保持軸１５１の中途部分には、前方孔１５１ＢＨと後方孔１５１ＢＴとに第２貫通孔１５１Ｂを分断する切欠部１５１Ｌが形成される。図１８に示すように、第１貫通孔１５１Ａには第１誘導芯５０Ａが挿入される。また、前方孔１５１ＢＨには第２誘導芯１５０Ｂが挿入され、後方孔１５１ＢＴには閉塞栓５７Ｂが挿入される。結果、切欠部１５１Ｌには、第２貫通孔１５１Ｂに収容された第２誘導芯１５０Ｂが露呈する。インク誘導機構１５０の後端部１５１Ｙ、小容器１４１の開口１４１Ｘ、及び閉塞栓５７Ｂは、一体となって気密構造を形成であるため、誘導芯保持軸１５１の後端部１５１Ｙを小容器１４１の開口１４１Ｘに挿入した場合、第１誘導芯５０Ａの後端部を第１インクタンク１４０Ａ内にて解放するとともに、インクタンク機構１４０及びインク誘導機構１５０において、第１インクと第２インクとが混ざらずに済む。
【００８７】  そして、図１４に示すように、誘導芯保持軸１５１の前端部とペン先機構２０とを接続することにより、第１誘導芯５０Ａの前端は第１ペン先２０Ａに圧接されるとともに、第２誘導芯１５０Ｂの前端は第２ペン先２０Ｂに圧接される。こうして、第１インクタンク１４０Ａにある第１インクは、第１誘導芯５０Ａを介して第１ペン先２０Ａに到達するとともに、第２インクタンク１４０Ｂにある第２インクは、第２誘導芯１５０Ｂを介して第２ペン先２０Ｂに到達する。
【００８８】  レギュレータ機構１６０は、図１６に示すように、誘導芯保持軸１５１の外周面から突出するフランジ構造６２と、フランジ構造６２よりも前方の誘導芯保持軸１５１に配される閉塞ユニット１６３と、フランジ構造６２及び閉塞ユニット１６３の間に形成されるレギュレータ流路６７（図４参照）と、レギュレータ流路６７に配されるレギュレータ鍔６８（図４参照）と、レギュレータ流路６７を第１〜２レギュレータ流路６７Ａ、６７Ｂに仕切るレギュレータ仕切板６９（図４参照）と、を有する。
【００８９】  閉塞ユニット１６３の外周面と大容器１４２の内周面とは一体となって気密構造を形成可能であるため、小容器１４１に接続された状態のレギュレータ機構１６０を、収容空間１４２Ｋへ収容した場合（図１４、１８参照）、閉塞ユニット１６３によって、第２インクタンク１４０Ｂと第２レギュレータ流路６７Ｂとが、そして、第２インクタンク１４０Ｂと第１レギュレータ流路６７Ａとが、それぞれ遮断される。このため、第１インクタンク１４０Ａと第１レギュレータ流路６７Ａとはインク誘導機構５０を介して接続し、第２インクタンク１４０Ｂと第２レギュレータ流路６７Ｂとは、第２誘導芯１５０Ｂを介して接続する。また、誘導芯保持軸１５１に切欠部１５１Ｌが設けられているため、小容器１４１に接続された状態のレギュレータ機構１６０を、収容空間１４２Ｋへ収容した場合、第２貫通孔１５１Ｂに収容された第２誘導芯１５０Ｂの後端面１５０ＢＸと、第２インクタンク１４０Ａとの間では、切欠部１５１Ｌを介して第２インクが流通可能な状態となる。
【００９０】  また、図１７〜１８に示すように、切欠部１５１Ｌよりも前方の誘導芯保持軸１５１の側面には、前方孔１５１ＢＨと連通する側孔１５１ＳＸが形成され、第２誘導芯１５０Ｂの外周面には芯切欠部１５０ＢＬが形成される。芯切欠部１５０ＢＬは中途方向から後端まで延びる。芯切欠部１５０ＢＬは、外周面に一様に形成されてもよいし、前後方向に渡って線状に形成されてもよい。このため、第２誘導芯１５０Ｂを第２誘導芯１５０Ｂへ挿入すると、第２誘導芯１５０Ｂに形成された芯切欠部１５０ＢＬは、側孔１５１ＳＸと切欠部５１Ｌとを連通する通気孔として機能する。こうして、第２インクタンク１４０Ｂは、芯切欠部１５０ＢＬ及び側孔１５１ＳＸを介して、第２レギュレータ流路６７Ｂと連通する。
【００９１】  なお、インクが所定の流れやすくするためのインクガイド機構として、インクガイド突起またはインクガイド溝を、インクタンクの内壁面に設けてもよい。インクガイド機構は、インクを流したい方向、すなわち、前後方向に延設されることが好ましい。また、インクタンクにおけるインクの流路幅をできるだけ広くするために、インクガイド機構としてはインクガイド溝が好ましい。このようなインクガイド溝としては、例えば、小容器１４１の外周面に設けられたインクガイド溝１４０ＭＮや、大容器１４２の内周面に設けられたインクガイド溝１４０ＭＧなどがある。インクガイド溝１４０ＭＮとインクガイド溝１４０ＭＧとが互いに対向するように形成される。インクガイド溝１４０ＭＮ及びインクガイド溝１４０ＭＧは、複数（例えば、４対）形成されることが好ましい。なお、このインクガイド機構は、筆記具２（図１参照）にも適用可能である。
【００９２】  次に、図１９を用いて、筆記具１０２の製造方法について説明する。筆記具１０２の製造方法では、インク誘導機構形成ステップＳ１０、ペン先機構取り付けステップＳ２０、第１インク供給ステップＳ３０、第１エアタイトステップＳ４０、第２インク供給ステップＳ５０、第２インクタンク形成ステップＳ６０、及び第２エアタイトステップＳ７０が順次行われる。
【００９３】  インク誘導機構形成ステップＳ１０では、第１誘導芯５０Ａを第１貫通孔５１Ａへ、第２誘導芯５０Ｂを前方孔５１ＢＨへ、閉塞栓５７Ｂを後方孔５１ＢＴへ、それぞれ挿入し、位置決めを行う。こうして、インク誘導機構１５０（図１６参照）が形成される。
【００９４】  ペン先機構取り付けステップＳ２０では、ペン先機構２０をインク誘導機構１５０の前端部に取り付ける。
【００９５】  第１インク供給ステップＳ３０では、小容器１４１の第１インク収容空間１４１Ｋに所定量の第１インクを充てんする。
【００９６】  第１エアタイトステップＳ４０では、誘導芯保持軸１５１の後端部１５１Ｙと小容器１４１の開口１４１Ｘとが気密構造を形成する程度（図１５参照）に、レギュレータ機構１６０が形成されたインク誘導機構１５０の後端部を、小容器１４１の開口１４１Ｘへ挿入する。
【００９７】  第２インク供給ステップＳ５０では、大容器１４２の収容空間１４２ＫＢ（図１５参照）に所定量の第２インクを開口１４２Ｘから供給する。
【００９８】  第２インクタンク形成ステップＳ６０では、大容器１４２及び小容器１４１との間に第２インクタンク１４０Ｂを形成する。さらに、第２インクタンク形成ステップＳ６０では、第２インクタンク１４０Ｂが形成される（図１５参照）程度に、小容器１４１、及び小容器１４１と一体となった各部品を、第２インクが貯留する収容空間１４２ＫＢへ開口１４２Ｘから挿入する。
【００９９】  第２エアタイトステップＳ７０では、閉塞ユニット１６３の外周面と大容器１４２の内周面とによる気密構造を形成する。さらに、第２エアタイトステップＳ７０では、閉塞ユニット１６３の外周面と大容器１４２の内周面とによる気密構造が形成されるまで、小容器１４１、及び小容器１４１と一体となった各部品を、収容空間１４２ＫＢの奥へ挿入する。
【０１００】  なお、第１インク供給ステップＳ３０は、各ステップＳ５０〜６０の間に行ってもよい。同様に、第１エアタイトステップＳ４０は、第１インク供給ステップＳ３０よりも後であれば、いずれのときに行ってもよい。また、第１，２インクの混合をより確実に防ぐためには、第１インク供給ステップＳ３０及び第１エアタイトステップＳ４０は、第２インク供給ステップＳ５０前に行うことが好ましい。
【０１０１】  通常の筆記具の製造工程では、予め形成されたインクタンクへインクの充填を行った後に、当該インクタンクの密閉を行うが、筆記具１０２の製造工程では、第２インクタンクの形成を行う前に第２インクの充填を行なうため、第２インクの充填作業が容易になる。
【０１０２】  また、このような手順は、インクタンク機構１４０が、小容器１４１と大容器１４２とによる入れ子構造を有するために、可能となる。したがって、筆記具１０２は、筆記具２に比べて、第２インクの充填作業が容易となる。
【０１０３】  なお、小容器１４１の後端部の外周面１４１Ｇは、大容器１４２の後端部の内周面１４２Ｎと嵌合可能な形状となっていることが好ましい。したがって、筆記具１０２としては、図２０に示すようなものでもよい。
【０１０４】  また、図１４に示すように、第１インクタンク１４０Ａの底部１４０ＡＢは、第２インクタンク１４０Ｂの底部１４０ＢＢよりも後方に位置することが好ましい。これにより、組み立て後の筆記具１０２において、第２インクタンク１４０Ｂに第２インクが満たされた状態であっても、第１インクタンク１４０Ａにある第１インクを外部から視認することができる。
【０１０５】  さらに、小容器１４１の後端部は収容空間１４２ＫＢの後端部と嵌合すること、すなわち、小容器１４１の後端部の外周面は、大容器１４２の後端部の内周面と嵌合可能な形状であることが好ましい。これにより、小容器１４１と収容空間１４２ＫＢとの間に第２インクが残留しにくくなる。この結果、筆記具１０２の外観も良好なものとなる。
【０１０６】  筆記具１０２では、第２レギュレータ流路６７Ｂと第２インクタンク１４０Ｂとを連通するために、第２誘導芯１５０Ｂの後端部の外周面に芯切欠部１５０ＢＬを形成したが、本発明はこれに限られず、側孔１５１ＳＸと切欠部１５１Ｌとを連通する通気溝１５１Ｍ（図２１参照）を前方孔１５１ＢＨの内周面に設けてもよい。
【０１０７】  上記実施形態では、第１誘導芯５０Ａの後端部と係合する係止突起５５Ａ（図３、１８参照）を後端軸面５１Ｔ、１５１Ｔに設けたが、係止突起５５Ａに代えて、第１誘導芯５０Ａの後端部が圧入される圧入孔を有する係止リングを、第１貫通孔５１Ａ内に設けてもよい。
【０１０８】  また、係止突起５５Ａに代えて、図２２に示すように、第１誘導芯５０Ａの後端部が融着される第１誘導芯融着部１５１ＮＹを、誘導芯保持軸１５１に設けてもよい。第１誘導芯融着部１５１ＮＹは、後端軸面１５１Ｔから後方へ突設される。第１誘導芯５０Ａの後端部と第１誘導芯融着部１５１ＮＹとの熱融着作業は、第１誘導芯５０Ａの位置決め時に行えばよい。このような第１誘導芯融着部１５１ＮＹの形成により、第１誘導芯融着部１５１ＮＹの製造過程における係止突起５５Ａの形成の手間を省くことができる。この第１誘導芯融着部の形成は、筆記具２や筆記具１０２のような、２つのインクを保持する筆記具に限られず、１つのインクを保持する筆記具にも適用可能である。
【０１０９】  したがって、筆記具としては、インクを収容するインクタンクと、先端側に配され、前記インクタンクから出た前記インクを保持するペン先を有するペン先機構と、前記インクタンクと前記ペン先機構とをつなぐ前記インクの流通経路に設けられ、前記インクタンクから出たインクを前記ペン先へ供給するインク誘導芯と、前記インク誘導芯を収容する誘導芯収容体と、前記誘導芯収容体に設けられ前記インク誘導芯と熱融着される熱融着部と、を備えることを特徴とする。
【０１１０】  また、第１ペン先２０Ａや第２ペン先２０Ｂは、可撓性を有するものであることが好ましい。例えば、第１ペン先２０Ａを紙面２００へ押し付けた際には、第１ペン先２０Ａが撓むため（図２３参照）、第２ペン先２０Ｂが第１ペン先２０Ａと接触する。この結果、第１ペン先２０Ａでは、第２ペン先２０Ｂから供給された第２インクと第１インクとが混合されるため、第１ペン先２０Ａからは、第１インクと第２インクとが混合した混合インクが供給される。したがって、筆記具２や筆記具１０２によれば、紙面２００へ混合インクを付着させることも可能である。
【０１１１】  なお、上記実施形態は、ペン先仕切板２３Ｙの前端面２３ＹＴが第１ペン先２０Ａの先端面２０ＡＴ及び第２ペン先２０Ｂの先端面２０ＢＴよりも後方に位置する形態（図９参照。以下、前端後方形態と称する）であったが、本発明はこれに限られず、前端面２３ＹＴが先端面２０ＡＴ及び先端面２０ＢＴと面一である形態（図２４参照。以下、前端面一形態と称する）であってもよいし、前端面２３ＹＴが先端面２０ＡＴ及び先端面２０ＢＴよりも前方へ突出する形態（図２５参照。以下、前端突出形態と称する。）でもよい。
【０１１２】  筆記具が前端後方形態（図９参照）や前端面一形態（図２４参照）である場合には、ほぼ垂直に起立した状態のペン先機構２０の先端を紙に押し付けることにより、第１ペン先２０Ａ及び第２ペン先２０Ｂが同時に紙に押し付けられる結果、第１インクと第２インクとが同時に紙に付着する。これにより、第１インクの筆記と第２インクの筆記とを同時に行うことができる。さらに、ペン先仕切板２３Ｙの側面２３ＹＬが、第２ペン先２０Ｂの側面２０ＢＬよりも第２ペン先２０Ｂの径方向外側へ突出する形態（図２６参照。以下、側面突出形態と称する。）であることが好ましい。なお、図２６では省略しているが、側面２３ＹＬは、第１ペン先２０Ａの側面よりも第１ペン先２０Ａの径方向外側へ突出する。これにより、斜めに起立したペン先機構２０の先端を紙に押し付けた場合には、第１インク及び第２インクの同時筆記を妨げるとともに、第１インクの筆記と第２インクの筆記とのうちいずれか一方を行うことが可能となる。
【０１１３】  一方、筆記具が前端突出形態（図２５参照）である場合には、ほぼ垂直に起立した状態のペン先機構２０の先端を紙に押し付けようとすると、ペン先仕切板２３Ｙが、第１ペン先２０Ａ及び第２ペン先２０Ｂよりも先に紙に接触する結果、第１ペン先２０Ａとともに第２ペン先２０Ｂが同時に紙に押し付けられない。したがって、第１インク及び第２インクの同時筆記を妨げるとともに、第１インクの筆記と第２インクの筆記とのうちいずれか一方を行うことが可能となる。さらに、側面２３ＹＬが、第１ペン先２０Ａの側面２０ＡＬよりも、第１ペン先２０Ａの径方向内側へ退避する形態（図２７参照。以下、側面退避形態と称する。）であることが好ましい。なお、図２７では省略しているが、側面２３ＹＬは、第２ペン先２０Ｂの側面よりも、第２ペン先２０Ｂの径方向内側へ退避する。これにより、斜めに起立したペン先機構２０の先端を紙に押し付けた場合には、第１インク及び第２インクの同時筆記が可能となる。
【０１１４】  すなわち、ペン先機構２０においては、ペン先仕切板２３Ｙが第１ペン先２０Ａ及び第２ペン先２０Ｂよりも後方又は内側に退避している部分と、ペン先仕切板２３Ｙが第１ペン先２０Ａ及び第２ペン先２０Ｂよりも前方又は外側に突出している部分（突出部）とが形成されることが好ましい。このような筆記具２は、自身の姿勢の変更により、２種類のインクの同時筆記と、片方のインクの筆記とを切り替えることができる。
【０１１５】  なお、側面２３ＹＬは、側面２０ＡＬ及び側面２０ＢＬと面一であってもよい。したがって、ペン先機構２０においては、ペン先仕切板２３Ｙが第１ペン先２０Ａ及び第２ペン先２０Ｂと面一である部分と、突出部とが形成されていてもよい。
【０１１６】  また、この突出部は、ペン先仕切板２３Ｙが第１ペン先２０Ａ及び第２ペン先２０Ｂよりも後方又は内側に退避している部分や、ペン先仕切板２３Ｙが第１ペン先２０Ａ及び第２ペン先２０Ｂと面一である部分よりも、前方に位置してもよいし、後方に位置していてもよい。
【０１１７】  図９に示した第１ペン先２０Ａや第２ペン先２０Ｂにおいては、基部２０ＡＢ、２０ＢＢが先端部２０ＡＳ、２０ＢＳよりも径が大きい、すなわち、基部２０ＡＢ、２０ＢＢが先端部２０ＡＳ、２０ＢＳに対して突出するように形成されるため、第１ペン保持孔２３Ａの後方側から第１ペン先２０Ａの先端部２０ＡＳを嵌入し、第２ペン保持孔２３Ｂの後方側から第２ペン先２０Ｂの先端部２０ＢＳを嵌入することとなる。一方、図２８〜２９に示すように、第１ペン先２０Ａや第２ペン先２０Ｂにおいて、先端部２０ＡＳ、２０ＢＳが、基部２０ＡＢ、２０ＢＢに対して突出するように形成されてもよい。かかる場合には、第１ペン保持孔２３Ａ（図９参照）の前方側から第１ペン先２０Ａの基部２０ＡＢを嵌入し、第２ペン保持孔２３Ｂ（図９参照）の前方側から第２ペン先２０Ｂの基部２０ＢＢを嵌入することが可能となる。結果、各ペン先２０Ａ、２０Ｂの取り付け作業や取り換え作業が容易となる。
【０１１８】  また、図９では、先端面２０ＡＴ、２０ＢＴは、筆記具２（図１参照）の長さ方向に対して直交していたが、本発明はこれに限られず、先端面２０ＡＴ、２０ＢＴは、筆記具２の長さ方向に対して斜めに交ってもよい（図２８参照）。
【０１１９】  ところで、図９や図２８等の筆記具２においては、先端面２０ＡＴ、２０ＢＴが平面状に形成されたため、先端面２０ＡＴ、２０ＢＴによって描かれるラインの幅は、筆記具２の姿勢によって異なったものとなる。
【０１２０】  そこで、筆記具２の姿勢に関わらず一定の幅のラインを描くためには、先端面２０ＡＴ、２０ＢＴが外側に向かって凸となるように湾曲することが好ましい（図２９参照）。これにより、筆記具２の姿勢に関わらず、一定の幅Ｗのラインを描くことができる。
【０１２１】  尚、本発明の筆記具は、上記した実施の形態に限定されるものではなく、本発明の要旨を逸脱しない範囲内において種々変更を加え得ることは勿論である。
【図１】
2013183633.tif 000003
【図２】
2013183633.tif 000004
【図３Ａ】
2013183633.tif 000005
【図３Ｂ】
2013183633.tif 000006
【図４】
2013183633.tif 000007
【図５】
2013183633.tif 000008
【図６】
2013183633.tif 000009
【図７】
2013183633.tif 000010
【図８】
2013183633.tif 000011
【図９】
2013183633.tif 000012
【図１０】
2013183633.tif 000013
【図１１】
2013183633.tif 000014
【図１２】
2013183633.tif 000015
【図１３】
2013183633.tif 000016
【図１４】
2013183633.tif 000017
【図１５】
2013183633.tif 000018
【図１６】
2013183633.tif 000019
【図１７】
2013183633.tif 000020
【図１８】
2013183633.tif 000021
【図１９】
2013183633.tif 000022
【図２０】
2013183633.tif 000023
【図２１】
2013183633.tif 000024
【図２２】
2013183633.tif 000025
【図２３】
2013183633.tif 000026
【図２４】
2013183633.tif 000027
【図２５】
2013183633.tif 000028
【図２６】
2013183633.tif 000029
【図２７】
2013183633.tif 000030
【図２８】
2013183633.tif 000031
【図２９】
2013183633.tif 000032
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
インクタンクと前記インクタンクから出たインクを保持するペン先とをつなぐインクの流通経路の周囲に設けられ、前記インクの流通経路における前記インクの流量を調節するレギュレータ機構であって、
第１、第２インクの流通経路の周囲にそれぞれ設定された第１、第２レギュレータ流路と、
前記第１レギュレータ流路及び前記第２レギュレータ流路を仕切るように配され、前記第１、第２レギュレータ流路における前記第１、第２インクの混合を防ぐ流路仕切り部材とを有し、
前記第１レギュレータ流路は、前記第１インクの一時溜め空間であるとともにエアが流通可能な空間であり、
前記第２レギュレータ流路は、前記第２インクの一時溜め空間であるとともにエアが流通可能な空間であることを特徴とするレギュレータ機構。
【請求項２】
前記インクタンクから出たインクを前記ペン先へ供給するインク誘導機構をさらに備え、
前記インク誘導機構は、
前記第１インクの流通経路を形成する第１流通経路形成部と、
前記第２インクの流通経路を形成する第２流通経路形成部と、を有することを特徴とする請求項１記載のレギュレータ機構。
【請求項３】
前記第１流通経路形成部は、
前記インクタンクから出た前記インクを前記ペン先へ誘導する第１誘導芯を保持する第１誘導芯保持部を有し、
前記第２流通経路形成部は、
前記インクタンクから出た前記インクを前記ペン先へ誘導する第２誘導芯を保持する第２誘導芯保持部を有し、
前記第１誘導芯は前記第１インクの流通経路として機能し、
前記第２誘導芯は前記第２インクの流通経路として機能することを特徴とする請求項２記載のレギュレータ機構。
【請求項４】
前記第１誘導芯保持部は、前記第１誘導芯を収容する第１誘導芯収容孔を有し、
前記第２誘導芯保持部は、前記第２誘導芯を収容する第２誘導芯収容孔を有することを特徴とする請求項３記載のレギュレータ機構。
【請求項５】
前記インク誘導機構は、
前記第１誘導芯収容孔に挿入された前記第１誘導芯の側面を前記第１レギュレータ流路に露呈するための第１露呈口と、
前記第２誘導芯収容孔に挿入された前記第２誘導芯の側面を前記第２レギュレータ流路に露呈するための第２露呈口とを有することを特徴とする請求項４記載のレギュレータ機構。
【請求項６】
前記第１誘導芯は、前記第１誘導芯保持部に係止されたことを特徴とする請求項４または５記載のレギュレータ機構。
【請求項７】
前記第１誘導芯のうち前記ペン先機構と反対側の端部は、前記第１誘導芯保持部を基準にして前記ペン先機構と反対側へ位置することを特徴とする請求項３ないし６のうちいずれか１項記載のレギュレータ機構。
【請求項８】
前記第１、第２レギュレータ流路は前記第１、第２誘導芯保持部の外側に形成され、
前記流路仕切り部材は、前記第１、第２レギュレータ流路を遮断するように、前記誘導芯保持部の外側から前記インク誘導筐体の内側まで延びることを特徴とする請求項３ないし７のうちいずれか１項記載のレギュレータ機構。
【請求項９】
請求項１または２記載のレギュレータ機構と、
前記ペン先機構と、
前記インクタンクと、を備えたことを特徴とする筆記具。
【請求項１０】
請求項３ないし８のうちいずれか１項記載のレギュレータ機構と、
前記ペン先機構と、
前記インクタンクと、を備えたことを特徴とする筆記具。
【請求項１１】
前記インク誘導機構は、
前記第２誘導芯の後端面が開放する後端面開放空間を有し、
前記後端面開放空間は前記インクタンクと連通することを特徴とする請求項１０記載の筆記具。
【請求項１２】
前記第２誘導芯は、前記第２誘導芯保持部の側部孔を介して、前記インクタンクと連通することを特徴とする請求項１０または１１記載の筆記具。
【請求項１３】
前記ペン先機構は、
前記第１インクが供給される第１ペン先と、
前記第２インクが供給される第２ペン先と、
前記第１ペン先及び前記第２ペン先を並列状態で保持するペン先保持機構と、を有し、
前記第１誘導芯は前記第１ペン先と接続し、
前記第２誘導芯は前記第２ペン先と接続することを特徴とする請求項９ないし１２のうちいずれか１項記載の筆記具。
【請求項１４】
前記ペン先保持機構は、
前記第１ペン先の基部を保持する第１ペン先保持機構と、
前記第２ペン先の基部を保持する第２ペン先保持機構と、
前記第１ペン先の先端部及び前記第２ペン先の先端部の間に配されたペン先仕切り機構と、を有することを特徴とする請求項１３記載の筆記具。
【請求項１５】
前記ペン先仕切機構は、
前記第１ペン先及び前記第２ペン先に対して面一又は後退する面一後退部と、
前記第１ペン先及び前記第２ペン先に対して突出する突出部と、
を有することを特徴とする請求項１４記載の筆記具。
【請求項１６】
前記面一後退部は、前記ペン先仕切り機構の前方部に形成されたことを特徴とする請求項１５記載の筆記具。
【請求項１７】
前記突出部は、前記ペン先仕切機構の側方部に形成されたことを特徴とする請求項１５または１６記載の筆記具。
【請求項１８】
前記第１ペン先の先端または前記第２ペン先の先端の少なくとも一方は、前記第１ペン先及び前記第２ペン先が接触する程度に撓むことを特徴とする請求項１４ないし１７のうちいずれか１項記載の筆記具。
【請求項１９】
前記インクタンクは、
前記第１インクを収容する第１インクタンクと、
前記第２インクを収容する第２インクタンクとを有することを特徴とする請求項９項記載の筆記具。
【請求項２０】
前記インクタンクは、
前記第１インクを収容する第１インクタンクと、
前記第２インクを収容する第２インクタンクとを有し、
前記第１誘導芯は前記第１インクタンクと接続し、
前記第２誘導芯は前記第２インクタンクと接続する
ことを特徴とする請求項１０ないし１８のうちいずれか１項記載の筆記具。
【請求項２１】
前記第２インクタンクと前記第２誘導芯とを連通する第２インク連通孔は、前記第１インクタンクと前記第１誘導芯とを連通する第１インク連通孔よりも、前記ペン先機構側に位置することを特徴とする請求項２０記載の筆記具。
【請求項２２】
前記第２インクタンクの前記インクの流通経路側の端部は、前記第１インクタンクの前記インクの流通経路側の端部よりも前記インクの流通経路側に向かって突出することを特徴とする請求項１９ないし２１のうちいずれか１項記載の筆記具。
【請求項２３】
前記第１インクタンクのうち前記ペン先機構と反対側の端部は、前記第２インクタンクのうち前記ペン先機構と反対側の端部よりも、前記ペン先機構から遠いことを特徴とする請求項１９ないし２２のうちいずれか１項記載の筆記具。
【請求項２４】
前記第２レギュレータ流路と前記第２インクタンクとの間では、前記インクの流通経路を介さずに、前記レギュレータ機構に形成された第２通気孔を介してエアが流通可能であることを特徴とする請求項１９ないし２３のうちいずれか１項記載の筆記具。
【請求項２５】
前記第２レギュレータ流路と前記第２インクタンクとの間では、前記インクの流通経路から延びる第２通気孔を介してエアが流通可能であることを特徴とする請求項１９ないし２４のうちいずれか１項記載の筆記具。
【請求項２６】
前記インクタンクは、円筒状の大径筒と、前記大径筒よりも径が小さく前記大径筒の内側に配された円筒状の小径筒とからなる二重管構造を有し、
前記第１インクタンクは前記小径筒の内側に形成され、
前記第２インクタンクは前記小径筒及び前記大径筒の間に形成されることを特徴とする請求項１９ないし２５のうちいずれか１項記載の筆記具。
【請求項２７】
前記小径筒は、前記大径筒の内側に同軸状に配されたことを特徴とする請求項２６記載の筆記具。
【請求項２８】
前記インクの流通経路のうち前記インクタンク側の端部は、前記小径筒の内側に位置することを特徴とする請求項２６または２７記載の筆記具。
【請求項２９】
前記小径筒と前記大径筒とが分離形成されたことを特徴とする請求項２６ないし２８のうちいずれか１項記載の筆記具。
【請求項３０】
前記小径筒と前記大径筒とを連結する筒連結部材を有することを特徴とする請求項２６ないし２９のうちいずれか１項記載の筆記具。
【請求項３１】
前記インクの流通経路のうち前記小径筒に位置する部位が、前記第１インクタンクと連通することを特徴とする請求項２６ないし３０のうちいずれか１項記載の筆記具。
【請求項３２】
前記第１レギュレータ流路と前記第１インクタンクとの間では、前記インクの流通経路のうち前記小径筒に位置する部位に形成された第１通気孔を介してエアが流通可能であることを特徴とする請求項２６ないし３１のうちいずれか１項記載の筆記具。
【請求項３３】
前記インクタンクは、前記インクの流通経路へ向けて前記インクタンク内のインクをガイドするインクガイド機構を有し、
前記インクガイド機構は、前記小径筒の外周面に形成され前記インクの流通経路に向かって延びた小径筒外溝と、前記大径筒の内周面に形成され前記インクの流通経路に向かって延びた大径筒内溝とのうち少なくとも一方であることを特徴とする請求項２６ないし３２のうちいずれか１項記載の筆記具。
【請求項３４】
前記インクタンクは、前記インクの流通経路へ向けて前記インクタンク内のインクをガイドするインクガイド機構を有することを特徴とする請求項９ないし２５のうちいずれか１項記載の筆記具。
【請求項３５】
第１インクを収容する第１インクタンクと、第２インクを収容する第２インクタンクと、前記第１インクタンクに収容された前記第１インクが供給される第１ペン先と、前記第２インクタンクに収容された前記第２インクが供給される第２ペン先と、を有する筆記具の製造方法において、
前記第２インクが収容空間に収容された収容具を用い、前記収容具へ前記第１インクタンクを挿入することにより、前記第１インクタンクと前記収容具との間に前記第２インクタンクを形成する第２インクタンク形成ステップを有することを特徴とする筆記具の製造方法。
【請求項３６】
前記第２インクタンク形成ステップの前に行われ、前記収容空間に前記第２インクを供給する第２インク供給ステップを有することを特徴とする請求項３５記載の筆記具の製造方法。
【請求項３７】
前記第２インク供給ステップの前に行われ、前記第１タンクへ前記第１インクを供給する第１インク供給ステップを有することを特徴とする請求項３６記載の筆記具の製造方法。
【請求項３８】
前記第２インク供給ステップの前に行われ、前記第１インクが供給された前記第１インクタンクを密閉する第１エアタイトステップを有することを特徴とする請求項３６または３７記載の筆記具の製造方法
【請求項３９】
前記第２インクが供給された前記第２インクタンクを密閉する第２エアタイトステップを有することを特徴とする請求項３５ないし３８のうちいずれか１項記載の筆記具の製造方法。
【国際調査報告】
2013183633.tif 000033
2013183633.tif 000034
2013183633.tif 000035
2013183633.tif 000036